(57)【特許請求の範囲】
【請求項１】
映像表示装置で実行される機器情報通信方法であって
前記映像表示装置に接続されている機器の情報を取得する取得ステップと、
通話の相手先装置への発信および前記相手先装置からの着信を制御する通信制御ステップと、
前記機器の情報を、前記通話の相手先装置に送信し、かつ、前記機器の情報を、前記通話の相手先装置以外の通話可能な相手先装置に、前記通話可能な相手先装置に対する発信前に送信する送信ステップと、
を含む、機器情報通信方法。
【請求項２】
前記送信ステップは、前記相手先装置への発信の際に、前記機器の情報を前記相手先装置に送信する、請求項１に記載の機器情報通信方法。
【請求項３】
前記取得ステップは、さらに、前記相手先装置との通話中に、前記機器の情報に変更があった場合に、変更後の機器の情報を取得し、
前記送信ステップは、前記相手先装置との通話中に、前記機器の情報を前記相手先装置に送信する、請求項１に記載の機器情報通信方法。
【請求項４】
前記映像表示装置に接続されている機器の初期化処理を行う初期化ステップをさらに含み、
前記取得ステップは、前記初期化処理の際に、前記機器の情報を取得する、請求項１に記載の機器情報通信方法。
【請求項５】
前記取得ステップは、前記機器の情報として、複数人で使用可能な機器の情報と、個人で使用可能な機器の情報とを区別して取得する、請求項１に記載の機器情報通信方法。
【請求項６】
前記機器の情報は、前記機器に対する設定情報である、請求項１に記載の機器情報通信方法。
【請求項７】
前記機器の情報は、前記機器としての表示装置の画面サイズである、請求項１に記載の機器情報通信方法。
【請求項８】
前記機器の情報は、前記機器としての撮像装置の状態である、請求項１に記載の機器情報通信方法。
【請求項９】
映像表示装置であって
前記映像表示装置に接続されている機器の情報を取得する取得部と、
通話の相手先装置への発信および前記相手先装置からの着信を制御するとともに、前記機器の情報を、前記通話の相手先装置に送信し、かつ、前記機器の情報を、前記通話の相手先装置以外の通話可能な相手先装置に、前記通話可能な相手先装置に対する発信前に送信する通信制御部と、
を備えた、映像表示装置。
【請求項１０】
前記通信制御部は、前記相手先装置への発信の際に、前記機器の情報を前記相手先装置に送信する、請求項９に記載の映像表示装置。
【請求項１１】
前記取得部は、さらに、前記相手先装置との通話中に、前記機器の情報に変更があった場合に、変更後の機器の情報を取得し、
前記通信制御部は、前記相手先装置との通話中に、前記機器の情報を前記相手先装置に送信する、請求項９に記載の映像表示装置。
【請求項１２】
前記映像表示装置に接続されている機器の初期化処理を行う初期化部をさらに備え、
前記取得部は、前記初期化処理の際に、前記機器の情報を取得する、請求項９に記載の映像表示装置。
【請求項１３】
前記取得部は、前記機器の情報として、複数人で使用可能な機器の情報と、個人で使用可能な機器の情報とを区別して取得する、請求項９に記載の映像表示装置。
【請求項１４】
前記機器の情報は、前記機器に対する設定情報である、請求項９に記載の映像表示装置。
【請求項１５】
前記機器の情報は、前記機器としての表示装置の画面サイズである、請求項９に記載の映像表示装置。
【請求項１６】
前記機器の情報は、前記機器としての撮像装置の状態である、請求項９に記載の映像表示装置。
【請求項１７】
映像表示装置と、前記映像表示装置にネットワークで接続された情報処理装置とを備えた映像表示システムであって、
前記映像表示装置は、
前記映像表示装置に接続されている機器の情報を取得する取得部と、
通話の相手先である前記情報処理装置への発信および前記情報処理装置からの着信を制御するとともに、前記機器の情報を、前記通話の相手先の情報処理装置に送信し、かつ、前記機器の情報を、前記通話の相手先の情報処理装置以外の通話可能な情報処理装置に、前記通話可能な情報処理装置に対する発信前に送信する通信制御部と、を備え、
前記情報処理装置は、
前記機器の情報を受信する受信部と、
前記機器の情報に応じたアイコンを発信者の状況として表示する表示部と、
を備えた、映像表示システム。
【請求項１８】
前記表示部は、前記映像表示装置からの着信があった場合に、応答の方法を示す応答表示として、映像付きの着信応答、音声のみの着信応答、応答せず、を選択可能に表示する、
請求項１７に記載の映像表示システム。
【発明の詳細な説明】
【技術分野】
【０００１】
本発明の実施形態は、機器情報通信方法、映像表示装置および映像表示システムに関する。
【背景技術】
【０００２】
近年、放送受信装置等の端末に、通話機能を装備する装置が普及し始めている。このような通話機能は、放送受信装置同士や携帯端末、情報処理装置などと通話することが可能である。
【先行技術文献】
【特許文献】
【０００３】
【特許文献１】特開２００６−２８７３９５号公報
【発明の概要】
【発明が解決しようとする課題】
【０００４】
しかしながら、このような従来技術では、通話相手が機密性の高い内容の通話に適さない環境であるか否かを判断することが困難であり、音声出力装置等の種類によっては、通話内容が他者に聞かれたり見られたりすることもある。
【課題を解決するための手段】
【０００５】
実施形態は、映像表示装置に接続されている機器の情報を取得し、通話の相手先装置への発信および前記相手先装置からの着信を制御し、機器の情報を通話の相手先装置に送信し、かつ機器の情報を通話の相手先装置以外の通話可能な相手先装置に、通話可能な相手先装置に対する発信前に送信する。
【図面の簡単な説明】
【０００６】
【図１】図１は、本実施形態の映像表示装置と同映像表示装置に組み込まれる通信装置の一例を示す図である。
【図２】図２は、映像表示装置で表示される通信機能の画面の一例を示す図である。
【図３】図３は、ＩＰ電話制御部の機能的構成を示すブロック図である。
【図４】図４は、相手先の情報処理装置の機能的構成を示すブロック図である。
【図５】図５は、本実施の形態の機器情報通信処理の手順を示すフローチャートである。
【図６】図６は、本実施の形態の情報処理装置における表示処理の手順を示すフローチャートである。
【図７】図７は、表示部に表示された通話機能の画面の一例を示す説明図である。
【発明を実施するための形態】
【０００７】
以下、実施の形態について図面を参照して説明する。
図１は、実施形態を適用する映像表示装置と同映像表示装置に組み込まれる通信装置の一例を示す。なお、以下に説明する要素や構成あるいは機能は、ハードウエアで実現するものであってもよいし、マイクロコンピュータ（処理装置、ＣＰＵ）等、を用いてソフトウエアで実現するものであってもよい。
【０００８】
図１が示す映像表示装置１は、例えばテレビジョン放送を受信して音声（オーディオ）及び映像（ビデオ）を再生するテレビジョン受信装置（以下ＴＶ装置と称する）を含む。
【０００９】
ＴＶ装置（映像表示装置）１は、少なくともデジタル放送の番組すなわちコンテンツを受信し、再生できる。なお、ＴＶ装置１は、インターネット（ネットワーク）網１００を通じて供給されるコンテンツの受信が可能である。また、ＴＶ装置１は、インターネット網１００を通じて接続される任意の接続相手先との間で、ＩＰ（Internet  Protocol）を用いる音声（オーディオを含む）及び動画（ビデオ）による通信が可能なＩＰ電話の利用が可能である。
【００１０】
ＴＶ装置１において、コンテンツ（番組）を受信するチューナ部１１が受信したコンテンツは、分離（Ｄｅｍｕｘ）部１２により、映像（ビデオ）データと音声（オーディオ）データとに分離される。
【００１１】
分離部１２が分離した映像（ビデオ）データは、映像（ビデオ）処理ブロック２１の映像（ビデオ）デコーダ２２によりデコードされ、デジタル映像（ビデオ）信号として出力される。
【００１２】
映像デコーダ２２がデコードした映像（ビデオ）データは、映像出力装置を表示可能に処理する映像（ビデオ）処理部２３に入力され、後段のディスプレイ２４が表示可能に、所定の解像度及び出力方式、例えばインターレース（ｉ）／ノンインターレース（ｐ）等に変換され、ディスプレイ２４に供給される。なお、映像（ビデオ）処理部２３の出力は、例えば外部モニタ装置あるいは投影装置（プロジェクタ装置）等が接続可能な、出力端２５に出力されてもよい。
【００１３】
分離部１２が分離した音声データは、音声（オーディオ）処理ブロック３１の音声（オーディオ）デコーダ３２によりデコードされ、デジタル音声（オーディオ）信号として出力される。
【００１４】
音声デコーダ３２がデコードした音声（オーディオ）信号は、音声出力装置が再生可能に処理する音声（オーディオ）処理部３３と、音声（オーディオ）処理部３３の出力に、映像（ビデオ）処理部２３が出力する映像信号との間の時間的な整合のために、所定時間の遅延を与える（音声（オーディオ）出力を遅延させる）遅延部３４を通過し、アナログの音声（オーディオ）出力を得るＤ−Ａコンバータ３５に入力される。
【００１５】
Ｄ−Ａコンバータ３５からのアナログの音声（オーディオ）出力は、例えばスピーカ３６（ラウドスピーカなど）に入力される。なお、Ｄ−Ａコンバータ３５からの出力は、ＡＶ（Audio  Visual）アンプ等が接続可能な出力端３７に、さらに分岐されてもよい。
【００１６】
また、遅延部３４により所定時間の遅延が与えられた音声（オーディオ）信号は、ＩＰ電話制御部４１にも分岐される。ＩＰ電話制御部４１は、例えば音声入力部（マイクロフォン）４２と音声再生部（イヤホンまたは低出力の音声再生向けスピーカ）４３とを含む通信セット４４の接続が可能で、音声入力部４２からの入力をＡ−Ｄ変換するＡ−Ｄ変換部４５と音声再生部への出力をＤ−Ａ変換するＤ−Ａ変換部４６とを含む。なお、音声再生部への出力をＤ−Ａ変換するＤ−Ａ変換部４６は、音声（オーディオ）処理ブロック３１のＤ−Ａコンバータ３５と共用される。
【００１７】
ＩＰ電話制御部４１は、ユーザの顔の画像等を取得するカメラ４７及びカメラ映像処理部４８を伴うことができる。また、ＩＰ電話制御部４１は、通信相手先から送信された画像を再生する画像処理部４９を伴うことができる。
【００１８】
画像処理部４９は、例えばＪＰＥＧ（Joint  Photographic  Experts  Group）に代表される静止画や、例えばＭＰＥＧ（Moving  Picture  Experts  Group）−２，−４（Ｈ．２６４−ＡＶＣ）に代表される動画を再生できる。なお、動画を再生する画像処理部４９は、映像（ビデオ）処理ブロック２１の映像（ビデオ）処理部２３と共用される。
【００１９】
ＴＶ装置（映像表示装置）１において、チューナ部１１、分離部１２、映像（ビデオ）処理ブロック２１、音声（オーディオ）処理ブロック３１及びＩＰ電話制御部４１のそれぞれは、主制御ブロック５１により制御され、所定の動作を実行する。
【００２０】
主制御ブロック（Main  Processing  Unit，ＭＰＵ）５１は、例えばＣＰＵ（Central  Processing  Unit，演算装置）あるいはマイクロコンピュータを含む。ＭＰＵ５１は、動作プログラムを保持したＲＯＭ及びワークメモリとして機能するＲＡＭを少なくとも含むメモリユニット５２、インターネット網を通じたＩＰ電話制御部４１に対する外部からの着信あるいはＩＰ電話制御部４１からの外部への送信を管理する状態管理部５３、ディスプレイ２４に表示するＧＵＩ（Graphical  User  Interface，グラフィカルユーザインタフェース）の表示及びＧＵＩからのユーザ入力を処理するＧＵＩ制御部５４及びインターネット網１００との間の接続、すなわちインターネット網１００からのさまざまな情報の取得及びインターネット網１００へのユーザからのアクセス等を制御するネットワーク制御部５５、等を少なくとも含む。
【００２１】
ＭＰＵ５１にはまた、ユーザからの制御入力を受け付ける操作入力部３が接続される。
【００２２】
操作入力部３は、例えばチューナ（入力）部１１が選択するチャンネルを特定するためのチャンネルキー（ボタン）や電源のオン／オフに用いる電源スイッチあるいはリモートコントローラ５からの指示や制御入力を受け付ける受信部、等を少なくとも含む。また、文字や記号あるいは数字等の入力を可能とするキー操作入力部（キーボード）等、が接続されてもよい。
【００２３】
なお、ＩＰ電話制御部４１は、ＭＰＵ５１のファームウエア、あるいは予め用意されたプログラムに従い動作するＩＰ電話プログラム、例えばＳｋｙｐｅ社が提供するインターネット電話である「Ｓｋｙｐｅ」等、に準じ、通信セット４４のマイクロフォン４２により取得するユーザの音声をパケット化し、ネットワーク（インターネット網）を介して接続された通信相手先に送信できる。もちろん、カメラ４７が用意されている場合、ユーザの映像をパケット化し、音声とともに送信できる。
【００２４】
ＴＶ装置１により番組（コンテンツ）を視聴中に、インターネット網１００を経由してＩＰ通話の着信があった場合、図２に示す視聴中の番組の「映像表示」２０１中の任意の位置、図２の例は、右上の例、に、ＧＵＩ制御部５４の制御により「着信表示」２１１が表示される。
【００２５】
「着信表示」２１１は、例えば着信があることを表示する「着信表示」２１２、送信元すなわち相手先を表示する「相手先表示」２１３、応答の方法を示す「応答表示＜１＞」２１４、「応答表示＜２＞」２１５、及び「応答表示＜３＞」２１６、等を含む。なお、「応答表示＜１＞」２１４は、映像付の着信応答を、「応答表示＜２＞」２１５は、音声のみの着信応答を、及び「応答表示＜３＞」２１６は、応答せず、を、それぞれ示す。従って、視聴者は、例えばリモコン５によるカーソル移動あるいはフォーカスにより、いずれかの応答の方法を選択し、応答または応答せず、を選択できる。
【００２６】
次に、ＩＰ電話制御部４１の詳細について説明する。  図３は、ＩＰ電話制御部４１の機能的構成を示すブロック図である。図３に示すように、ＩＰ電話制御部４１は、通信制御部３０１と、初期化部３０２と、機器情報取得部３０３とを主に備えている。
【００２７】
初期化部３０２は、通話機能の起動時に、ＴＶ装置１に接続されている機器を初期化する。ここで、ＴＶ装置１に接続される機器としては、ラウドスピーカやアレイマイクロフォン、イヤホンとマイクロフォンとで構成されるヘッドセット等の音声入出力装置や、カメラ等の撮像装置、液晶ディスプレイ等の表示装置等が該当する。
【００２８】
初期化部３０２が実行する初期化処理としては、音声入出力装置に対する音響調整処理、撮像装置に対する画質処理等がある。例えば、ＴＶ装置１にラウドスピーカが接続されている場合、音量が大きくノイズの音量も大きいので、初期化部３０２は、初期化処理として、音声出力時にノイズの除去処理を行う。また、ＴＶ装置１にアレイマイクロフォンが接続されている場合には、ＴＶ装置１の正面に座るユーザの音声だけを入力するために、初期化部３０２は、初期化処理として、正面以外の音声の除去処理（Ｂｅａｍ  ｆｏｒｍｉｎｇ処理）を行う。
【００２９】
機器情報取得部３０３は、初期化部３０２に呼び出されて実行され、ＴＶ装置１に接続されている機器の情報、すなわち、接続されている機器のＩＤや接続されている機器の設定情報を取得する。すなわち、機器情報取得部３０３は、接続されている機器として、複数人で使用可能なラウドスピーカやアレイマイクロフォン等の音声入出力装置、個人使用される、イヤホンとマイクロフォンとで構成されるヘッドセット等の音声入出力装置、カメラ等の撮像装置、液晶ディスプレイ等の表示装置のＩＤや設定情報を取得する。
【００３０】
ＴＶ装置１に接続されている機器の設定情報としては、例えば、液晶ディスプレイ等の表示装置等の画面サイズ（３２インチ、４２インチ等）、カメラ等の撮像装置のオン／オフの情報等があげられる。このように、機器情報取得部３０３による機器のＩＤの取得や機器の設定情報の取得の処理は、初期化部３０２が行う既存の初期化処理の際に実行されるため、本実施の形態に固有の処理として新たに追加する必要がなく、本実施の形態のＴＶ装置１の開発工数の増大を防止することができる。
【００３１】
機器のＩＤや設定情報は、ＩＰ電話サーバ１０１や相手先の装置で共通する情報である。また、機器のＩＤや設定情報に対応するアイコンが、ＩＰ電話サーバ１０１に保存されている。
【００３２】
なお、機器情報取得部３０３は、個々の機器のＩＤや設定情報を取得する代わりに、ラウドスピーカやアレイマイクロフォン等の複数人で使用可能な機器と、ヘッドセット等の個人で使用可能な機器とを区別してＩＤや設定情報を取得するように構成してもよい。このように構成しても、相手先のユーザは、複数人で使用可能な機器がＴＶ装置１に接続されているのか、ヘッドセット等の個人で使用可能な機器がＴＶ装置１に接続されているのかを把握することができるので、機密性の高い通話内容に適した環境であるか否かを判断できるからである。
【００３３】
また、機器情報取得部３０３は、相手先との通話中に、接続されている機器に変更があった場合、例えば、機器が着脱されたり、設定内容が変更された場合、かかる変更をイベント受信により検知し、変更後の機器のＩＤや設定内容を取得する。例えば、通話中に、ヘッドセットが取り外され、代わりに、ラウドスピーカとアレイマイクロフォンが接続された場合には、機器情報取得部３０３は、かかる接続の変更をイベント受信により検知し、新たに接続されたラウドスピーカやアレイマイクロフォンのＩＤを取得する。
【００３４】
また、例えば、通話中に、カメラが新たに接続された場合には、機器情報取得部３０３は、かかる新たな接続をイベント受信により検知し、新たに接続されたカメラのＩＤを取得する。あるいは、ＴＶ装置１にカメラが接続されているが、カメラをオフ状態での通話中に、ユーザがカメラをオン状態に変更した場合には、機器情報取得部３０３は、かかるオフからオンへの設定情報の変更をイベント受信により検知し、カメラのオン状態の旨の設定情報を取得する。
【００３５】
通信制御部３０１は、通話の相手先装置への発信および相手先装置からの着信を制御する。また、通信制御部３０１は、相手先への発信の際に、機器情報取得部３０３で取得した機器のＩＤや設定情報を相手先に送信する。また、相手先との通話中に、機器情報取得部３０３が新たに接続された機器のＩＤを取得したり、変更後の設定情報を取得した場合には、新たに接続された機器のＩＤを取得したり、変更後の設定情報を、相手先に送信する。
【００３６】
次に、ＴＶ装置１のユーザが通話を行う相手先の装置の詳細について説明する。本実施の形態では、相手先として、ＰＣ（Ｐｅｒｓｏｎａｌ  Ｃｏｍｐｕｔｅｒ）などの情報処理装置を例にあげて説明する。ただし、相手先の装置としては、ＰＣ等の情報処理装置に限定されるものではなく、通話機能を有するものであれば、携帯端末やＴＶ装置等いずれの装置にも適用することが可能である。
【００３７】
図４は、相手先の情報処理装置４００の機能的構成を示すブロック図である。情報処理装置４００は、図４に示すように、通信制御部４０１と、要求部４０４と、表示制御部４０２と、表示部４０３とを主に備えている。ここで、情報処理装置４００のハードウェア構成は、ＣＰＵ、メモリやハードディスクドライブ装置（ＨＤＤ）等の記憶装置、キーボードやマウス等の入力装置、ディスプレイ装置等の表示部４０３等を備えた通常のコンピュータの構成である。
【００３８】
通信制御部４０１は、通話の相手先装置への発信および相手先装置からの着信を制御する。また、通信制御部４０１は、通話の相手先であるＴＶ装置１に接続されている機器のＩＤや機器の設定情報を受信する。さらに、通信制御部４０１は、インターネット網１００に接続されたＩＰ電話サーバ１０１との通信を制御する。
【００３９】
要求部４０４は、通信制御部４０１で受信した機器のＩＤに対応するアイコンを通信制御部４０１を介してＩＰ電話サーバ１０１に要求する。ここで、ＩＰ電話サーバ１０１から送信された、要求したアイコンは、通信制御部４０１が受信する。
【００４０】
表示部４０３は、例えば、ディスプレイ装置等の表示装置である。表示制御部４０２は、表示部４０３に対する各種画面の表示を制御する。本実施の形態では、Ｓｋｙｐｅ機能等の通話機能の画面を表示部４０３に表示するとともに、この通話機能の画面上で、ＩＰ電話サーバ１０１から受信した、機器のＩＤや設定情報に対応したアイコンを、「オンライン」、「オフライン」、「退席中」等の発信者の現在の状況を示すプレゼンスとして表示する。
【００４１】
次に、以上のように構成された本実施の形態にかかるＴＶ装置１における機器情報通信処理について説明する。図５は、本実施の形態の機器情報通信処理の手順を示すフローチャートである。
【００４２】
ＴＶ装置１上でＳｋｙｐｅ等の通話機能が起動すると、初期化部３０２が初期化処理を行うため、機器情報取得部３０３を呼び出し、呼び出された機器情報取得部３０３が、ＴＶ装置１に接続されている機器（接続機器）のＩＤを取得する（ステップＳ１１）。次に、機器情報取得部３０３は、接続機器の設定情報を取得する（ステップＳ１２）。そして、初期化部３０２は、取得した接続機器の音響調整等の上述した初期化処理を行う（ステップＳ１３）。
【００４３】
次に、通信制御部３０１は、ユーザから発信操作があったか否かを、発信イベントがあったか否かに判断し（ステップＳ１４）、発信待ち状態となる（ステップＳ１４：Ｎｏ）。そして、発信イベントを検知した場合には（ステップＳ１４：Ｙｅｓ）、発信操作で指定された相手先に発信する（ステップＳ１５）。そして、相手先との接続確立の待ち状態となる（ステップＳ１６、Ｓ１６：Ｎｏ）。
【００４４】
相手先との接続が確立されたら（ステップＳ１６：Ｙｅｓ）、通信制御部３０１は、ステップＳ１１で取得した接続機器のＩＤと、ステップＳ１２で取得した接続機器の設定情報を、相手先に送信する（ステップＳ１７）。なお、かかる接続機器のＩＤや設定情報は、Ｓｋｙｐｅのネットワークに送信することにより、相手先以外の装置にも送信される。そして、ＴＶ装置１は、相手先との通話を開始する（ステップＳ１８）。
【００４５】
通信制御部３０１は、通話中に切断イベントの受信待ち状態となる（ステップＳ１９）。そして、切断イベントを受信した場合には（ステップＳ１９：Ｙｅｓ）、通信制御部３０１は相手先との通信を切断し（ステップＳ２０）、処理を終了する。
【００４６】
一方、ステップＳ１９で切断イベントを受信していない場合には（ステップＳ１９：Ｎｏ）、接続機器の着脱のイベントがあったか、あるいは接続機器の設定情報の変更のイベントがあったかを判断する（ステップＳ２１）。そして、これらのイベントがない場合には（ステップＳ２１：Ｎｏ）、ステップＳ１９へ戻り、切断イベントの受信待ちとなる。
【００４７】
一方、ステップＳ２１で、接続機器の着脱のイベント、あるいは接続機器の設定情報のイベントを受信した場合には（ステップＳ２１：Ｙｅｓ）、機器情報取得部３０３は、当該イベントに応じて新たに接続された機器のＩＤの取得、あるいは、変更された設定情報の取得を行う（ステップＳ２２）。
【００４８】
そして、初期化部３０２は、新たな接続機器、あるいは設定情報が変更された接続機器の初期化処理を行う（ステップＳ２３）。そして、通信制御部３０１は、新たな接続機器のＩＤ、または変更後の設定情報を、相手先に送信する（ステップＳ２４）。そして、ステップＳ１９へ戻り、切断イベントの受信待ちとなる。
【００４９】
このように、通話中に、接続機器の着脱や設定情報の変更があった場合には、そのタイミングで、相手先に通知されることになる。
【００５０】
次に、接続機器のＩＤや設定情報を受信した相手先の情報処理装置４００で実行される表示処理について説明する。図６は、本実施の形態の情報処理装置における表示処理の手順を示すフローチャートである。
【００５１】
発信元のＴＶ装置１では、上述したステップＳ１７，Ｓ２４で接続機器のＩＤ、設定情報を送信するので、情報処理装置４００の通信制御部４０１は、この接続機器のＩＤ、設定情報を受信する（ステップＳ３１）。
【００５２】
そして、要求部４０４は、受信した接続機器のＩＤ、設定情報に対応したアイコンを、ＩＰ電話サーバ１０１に要求する（ステップＳ３２）。そして、通信制御部４０１は、ＩＰ電話サーバ１０１からのアイコンの受信待ち状態となる（ステップＳ３３、Ｓ３３：Ｎｏ）。
【００５３】
ＩＰ電話サーバ１０１から、接続機器のＩＤ、設定情報に対応したアイコンを受信した場合には（ステップＳ３３：Ｙｅｓ）、表示制御部４０２は、発信元のユーザのＴＶ装置１の接続機器、設定情報のアイコンをプレゼンスとして表示部４０３の通話機能の画面に表示する（ステップＳ３４）。
【００５４】
図７は、表示部４０３に表示された通話機能の画面の一例を示す説明図である。図７の例では、ユーザ「ＡＡＡ」のプレゼンスには、ラウドスピーカのアイコン７０１と、アレイマイクのアイコン７０２が表示されている。このため、情報処理装置４００のユーザがユーザ「ＡＡＡ」と通話する場合、通話相手のユーザ「ＡＡＡ」のＴＶ装置１には、複数人で使用可能な、ラウドスピーカやアレイマイクロフォンが接続されており、機密性の高い通話には向いていない環境であることを把握することができる。このため、情報処理装置４００のユーザは、ユーザ「ＡＡＡ」との通話には、機密性の高い内容については言及しないよう注意を払うことができる。
【００５５】
また、図７の例では、ユーザ「ＸＹＺ」のプレゼンスには、個人使用のヘッドセットが接続されているが、表示装置の画面サイズが「４２」インチと大画面であり、複数人が容易に画面を鑑賞可能であり、機密性が低い環境であることがわかる。このため、情報処理装置４００のユーザは、ユーザ「ＸＹＺ」とのビデオ通話においては、自身の周囲で機密性の高い情報については撮影しないよう注意を払うことができる。また、通話相手のユーザ「ＢＢＢ」のプレゼンスに、カメラＯＮのアイコン７０５が表示されている場合にも、同様に、自身の周囲で機密性の高い情報については撮影しないよう注意を払うことができる。
【００５６】
また、通話中に、相手先のＴＶ装置１の接続機器が個人使用の機器から複数人で使用可能な機器に変更されたり、カメラの設定情報がＯＦＦからＯＮに変更された場合等、複数人で使用可能な設定情報に変更された場合には、情報処理装置４００の通話機能のプレゼンスにおいて、新たな接続機器や変更後の設定情報のアイコンに変更表示されるので、通話相手が機密性の低い環境に変わった場合には、機密性の高い内容に言及せず、あるいは撮像しないように注意を払うことが可能となる。
【００５７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５８】
３  操作入力部
５  リモコン
１１  チューナ部
１２  分離部
２１  映像処理ブロック
２２  映像デコーダ
２３  映像処理部
３１  音声処理ブロック
３２  音声デコーダ
３３  音声処理部
３４  遅延部
３５  Ｄ−Ａコンバータ
３６  スピーカ
４１  ＩＰ電話制御部
４２  マイクロフォン
４３  イヤホン
４４  通信セット
４５  Ａ−Ｄコンバータ
４７  カメラ
５１  主制御ブロック
５２  メモリユニット
５３  状態管理部
５４  ＧＵＩ制御部
５５  ネットワーク制御部
１００  インターネット網
１０１  ＩＰ電話サーバ
３０１，４０１  通信制御部
３０２  初期化部
３０３  機器情報取得部
４００  情報処理装置
４０２  表示制御部
４０３  表示部
４０４  要求部
【図１】
0005417502.tif 000002
【図２】
0005417502.tif 000003
【図３】
0005417502.tif 000004
【図４】
0005417502.tif 000005
【図５】
0005417502.tif 000006
【図６】
0005417502.tif 000007
【図７】
0005417502.tif 000008